(57)【要約】【課題】正面切刃の切り込み角度を一定に保持したままでインサートの位置調整が容易、かつ、確実に行うことができ、高い切刃振れ精度を得ることができるフライスカッターを提供する。【解決手段】軸線回りに回転される円盤状の工具本体１１の先端部外周に形成された凹部１３に取付座１４が備えられ、取付座１４に、切刃を有するインサート４０が着脱自在に装着されるフライスカッター１０であって、工具本体１１には、インサート４０の軸線方向位置を調整するための調整部材１９が備えられており、取付座１４には、押圧部材３０を介してインサート４０の被押圧面を押圧して、インサート４０を取付座１４に固定する固定クサビ２０が具備され、押圧部材３０には、被押圧面を押圧する押圧面が形成されるとともに、インサート４０を工具本体１１側へと付勢する付勢部材３５が配置されていることを特徴とする。【選択図】図３
2007253307.tif 000002
【特許請求の範囲】
【請求項１】
軸線回りに回転される円盤状の工具本体の先端部外周に形成された凹部に取付座が備えられ、該取付座に、切刃を有するインサートが着脱自在に装着されるフライスカッターであって、
前記工具本体には、前記インサートの前記軸線方向の位置を調整するための調整部材が備えられており、
前記取付座には、押圧部材を介して前記インサートの被押圧面を押圧して、前記インサートを前記取付座に固定する固定クサビが具備され、
前記押圧部材には、前記インサートの前記被押圧面を押圧する押圧面が形成されるとともに、前記インサートを前記工具本体側へと付勢する付勢部材が配置されていることを特徴とするフライスカッター。
【請求項２】
前記調整部材は、前記インサートの前記工具本体後端側を向く面を押圧する調整ネジとされ、前記調整ネジは、前記インサートの移動方向に対して傾斜する方向に配置されていることを特徴とする請求項１に記載のフライスカッター。
【請求項３】
請求項１または請求項２に記載のフライスカッターに装着されるインサートであって、
外形が長尺棒状をなし、その先端に立方晶窒化硼素焼結体で構成された前記切刃を備えた切刃部が形成され、該切刃部の後端側に前記被押圧面が形成されていることを特徴とするインサート。
【請求項４】
前記切刃部には、正面切刃と外周切刃とが形成され、これら正面切刃と外周切刃との交差部分にコーナ部が設けられていることを特徴とする請求項３に記載のインサート。
【発明の詳細な説明】
【技術分野】
【０００１】
本発明は、工具本体の先端部外周に複数のインサートが着脱可能に装着されたフライスカッター及びこのフライスカッターに装着されるインサートに関するものである。
【背景技術】
【０００２】
従来、被切削材に平面加工を施す切削工具として、複数のインサートが装着されたフライスカッターが使用されている。この種のフライスカッターにおいては、円盤状の工具本体の先端部外周に形成された多数の凹部及び取付座に、超硬合金等の硬質材料よりなるインサートが着脱可能に装着されており、工具本体をその軸線回りに高速回転するとともに軸線と交差する方向に送りを与えることにより、インサートの工具本体径方向外側に向けられた外周切刃と工具本体先端側に向けられた正面切刃とによって被切削材を切削するものである。
【０００３】
ところで、多数のインサートを備えたフライスカッターでは、各インサートの切刃が工具本体の軸線回りに描く回転軌跡が一致するように、各インサートが取り付けられていなければならない。すなわち、このフライスカッターには、切刃の振れ出し量が同一となるように、高い切刃振れ精度が備わっていなければならない。前記フライスカッターにおいて切刃の振れ出し量が異なっている場合には、振れ出し量の大きい切刃が優先的に摩耗してしまうため、インサートの交換頻度が多くなるとともに、被切削材の仕上げ面が波打ち、面粗度が劣化するといった問題があった。
【０００４】
そこで、従来のフライスカッターにおいては、仕上げ面の面粗度を向上させるために、フライスカッターに装着された多数のインサートのうちの一部をワイパー刃（さらい刃）とする手段が提供されているが、ワイパー刃を備えたフライスカッターでは、ワイパー刃のみが切削する部分が多くなり、このワイパー刃が優先的に摩耗するため、インサートの交換頻度が多くなるといった問題があった。
そこで、このようなフライスカッターにおいては、インサートの工具本体軸線方向の位置を移動させ、各切刃の振れ出し量を調整するための調整機構を備えたものが提案されている（例えば、特許文献１）。
【０００５】
特許文献１に開示されたフライスカッターは、工具本体の先端部外周に複数の凹部が形成され、凹部の工具回転方向後方側にインサートの取付座が形成されており、この取付座の工具回転方向前方側を向く壁面に、四角形平板状をなすインサートが着座される。取付座の工具回転方向前方側にはクサビ部材が挿入されており、このクサビ部材の工具回転方向後方側を向く面と取付座の工具回転方向前方側を向く壁面とによってインサートが挟持されて固定されている。
この取付座の工具本体後端側に、インサートの位置を調整するための調整クサビが備えられている。また、工具本体の底面からこの調整クサビの位置を固定するための固定ネジが螺着されている。
【０００６】
この構成のフライスカッターにおいては、固定クサビを抜き出してインサートを移動可能な状態とし、調整クサビを挿入することによりインサートの工具本体後端側を向く面を押圧して、インサートの位置を移動させて切刃の振れ出し量を調整するものである。
【特許文献１】実用新案登録第１８５４５３８号公報
【発明の開示】
【発明が解決しようとする課題】
【０００７】
ところで、前記構成のフライスカッターにおいては、切刃の振れ調整を行うために固定クサビを抜き出した際に、インサートの位置が大きくずれてしまうおそれがあった。
また、固定クサビを抜き出した状態ではインサートは全く固定されていないため、調整クサビによってインサートの工具本体後端側を向く面を押圧した際に、インサートが調整方向以外の方向へずれてしまうおそれがあり、複数の切刃の振れ調整を精度良く、かつ、効率的に行うことができなかった。
【０００８】
また、インサートが取付座の工具回転方向前方側を向く壁面の上で回転してしまった場合には、正面切刃の切り込み角度が、各インサートによってばらついてしまうので、インサートを取り付け直す必要があった。
このように、従来のフライスカッターにおいては、切刃の振れ出し量を調整するのに多大な時間と労力を必要としていた。
【０００９】
本願発明は、上記の事情に鑑みてなされたものであって、正面切刃の切り込み角度を一定に保持したままでインサートの位置調整を容易、かつ、確実に行うことができ、高い切刃振れ精度を得ることができるフライスカッター及びこのフライスカッターに装着されるインサートを提供することを目的とする。
【課題を解決するための手段】
【００１０】
この課題を解決するために、本発明に係るフライスカッターは、軸線回りに回転される円盤状の工具本体の先端部外周に形成された凹部に取付座が備えられ、該取付座に、切刃を有するインサートが着脱自在に装着されるフライスカッターであって、前記工具本体には、前記インサートの前記軸線方向の位置を調整するための調整部材が備えられており、  前記取付座には、押圧部材を介して前記インサートの被押圧面を押圧して、前記インサートを前記取付座に固定する固定クサビが具備され、前記押圧部材には、前記インサートの前記被押圧面を押圧する押圧面が形成されるとともに、前記インサートを前記工具本体側へと付勢する付勢部材が配置されていることを特徴としている。
【００１１】
この構成のフライスカッターにおいては、インサートの位置調整を行うために固定クサビを僅かに抜き出した際に、押圧部材に配置された付勢部材がインサートを工具本体側に向けて押圧することになり、インサートの位置ずれを防止することができる。このように付勢部材によってインサートが押圧された状態で、工具本体に設けられた調整部材によってインサートを移動させることにより、インサートの軸線方向の位置調整を行うことができ、切刃の振れ調整を簡単にかつ確実に行うことができる。
【００１２】
また、固定クサビを挿入した場合には、いわゆるクサビ効果によって、前記押圧部材が工具本体側へと強く押圧され、押圧部材の押圧面によってインサートの被押圧面を強く押圧してインサートを強固に固定することができる。
【００１３】
ここで、前記調整部材を、前記インサートの前記工具本体後端側を向く面を押圧する調整ネジとし、前記調整ネジを、前記インサートの移動方向に対して傾斜する方向に配置することにより、インサートの位置調整を調整ネジのネジピッチよりも小さなピッチで調整することができ、切刃の振れ調整を精度良く行うことができる。例えば、インサートの移動方向に対して調整ネジが角度θで配置している場合には、ネジピッチＰとするとインサート移動方向のピッチはＰ×ｃｏｓθとなり、ネジピッチＰよりも小さなピッチでインサートの位置調整を行うことができる。
【００１４】
また、前記インサートとして、長尺棒状をなし、その先端に立方晶窒化硼素焼結体で構成された前記切刃を備えた切刃部が形成され、該切刃部の後端側に前記被押圧面が形成されているものを使用することにより、前記被押圧面と押圧部材の押圧面とが摺接した状態でインサートの位置調整を行うことになり、切刃の振れ調整を簡単に行うことができる。また、切刃が、硬質で耐摩耗性に優れた立方晶窒化硼素焼結体（ＣＢＮ：Ｃｕｂｉｃ  Ｂｏｒｏｎ  Ｎｉｔｒｉｄｅ）で構成されているので、この切刃の耐摩耗性が向上し、インサートの寿命延長を図ることができる。
【００１５】
また、前記切刃部に正面切刃と外周切刃とを形成し、これら正面切刃と外周切刃との交差部分にコーナ部を設けることにより、このインサートの刃先強度を向上させることができ、切削時の切削抵抗によって正面切刃及び外周切刃が欠損することを防止できる。さらに、コーナ部を形成することにより、正面切刃及び外周切刃の再研磨が容易となり、このインサートのさらなる寿命延長を図ることができる。
【発明の効果】
【００１６】
本発明によれば、正面切刃の切り込み角度を一定に保持したままでインサートの位置調整が容易、かつ、確実に行うことができ、高い切刃振れ精度を得ることができるフライスカッター及びこのフライスカッターに装着されるインサートを提供することができる。
【発明を実施するための最良の形態】
【００１７】
本発明の実施形態について添付した図面を参照して説明する。
図１から図５に本発明の実施形態であるフライスカッターを示す。図６から図８に前記フライスカッターに装着されるインサートを示す。
フライスカッター１０は、鋼材等で構成されて外形が概略円盤状をなす工具本体１１を有しており、工具本体１１がなす円盤の中央部には、工具本体１１をアダプタを介して工作機械の主軸端等に取り付けるための取付孔１２が、工具本体１１の軸線Ｏに沿うように形成されている。
【００１８】
この工具本体１１の先端側外周部には、工具本体１１の外周面及び先端面に開口するように複数の凹部１３が形成されており、さらにこれらの凹部１３の工具回転方向Ｔ後方側には、それぞれ取付座１４が設けられている。本実施形態では、図２に示すように、８つの凹部１３及び取付座１４が、周方向に間隔をあけるようにして設けられている。
【００１９】
取付座１４の工具回転方向Ｔ前方側を向く壁面が第１取付面１４Ａとされており、この第１取付面１４Ａは、図３に示すように、工具本体１１後端側に向かうにしたがい工具回転方向Ｔ後方側に後退するように傾斜させられている。また、取付座１４の工具本体１１径方向外側を向く壁面が第２取付面１４Ｂとされ、この第２取付面１４Ｂは、図４に示すように、工具本体１１径方向内側に向けて凹むように形成されている。
【００２０】
また、取付座１４の工具回転方向Ｔ前方側には、インサート４０を固定するための固定クサビ２０を収容するための切欠部１５が形成され、この切欠部１５の工具本体１１径方向外側を向く壁面にはクランプネジ孔１６が穿設されている。切欠部１５の工具回転方向Ｔ前方側に位置する壁面は、図３及び図４に示すように断面半円状をなしてクランプネジ孔１６の中心線Ｌに平行に延びるようにに形成されている。
また、取付座１４の第１取付面１４Ａよりも工具回転方向Ｔ後方側には、図４に示すように、工具本体１１径方向外側に向かうにしたがい前記中心線Ｌに対して漸次工具回転方向Ｔ前方側へと向かうように傾斜させられた傾斜面部１７が形成されている。
つまり、工具回転方向Ｔ前方側から順に、クランプネジ孔１６、取付座１４、傾斜面部１７が並ぶように配置されているのである。
【００２１】
また、各取付座１４の工具本体１１後端側には、工具本体１１後端側から取付座１４へと貫通するように調整ネジ孔１８が穿設されており、この調整ネジ孔１８に調整ネジ１９が螺着されている。調整ネジ孔１８は、前記第１取付面１４Ａ及び第２取付面１４Ｂに対して傾斜するように配置されており、本実施形態では、図３に示すように、工具本体１１先端側に向かうにしたがい工具回転方向Ｔ後方側へと向かうように配置されている。本実施形態では、この調整ネジ孔１８の延びる方向と第１取付面１４Ａが延びる方向とが角度θで交差するように構成されている。
また、調整ネジ１９の先端は、先端側に向かうにしたがい外径が小さくなるようなテーパ面１９Ａが形成されている。
【００２２】
切欠部１５に収容される固定クサビ２０は、図３及び図４に示すように、一端が平面状に形成されて他端が半円状に形成されたブロック状をなしており、一端側の側面がクサビ面２１とされ、このクサビ面２１は、切欠部１５に収容した状態において、工具本体１１径方向外側に向かうにしたがい前記中心線Ｌに対して工具回転方向Ｔ後方側へと突出するように傾斜させられている。
また、固定クサビ２０の他端側は、前記切欠部１５の工具回転方向Ｔ前方側に位置する壁面に密着するように配置される。
【００２３】
固定クサビ２０の中央部分には、貫通ネジ孔２２が厚さ方向に貫通するように形成され、この貫通ネジ孔２２には、固定クサビ２０を工具本体１１径方向に移動させるクランプネジ２３が螺着されている。このクランプネジ２３は、図４に示すように、両端に雄ネジ部２４が形成された、いわゆるダブリュスクリュー型のネジである。
【００２４】
この固定クサビ２０とインサート４０との間に配置される押圧部材３０は、図３及び図４に示すように、概略四角柱状をなしており、前記取付座１４に装着された状態において、工具回転方向Ｔ前方側を向く側面３１が工具本体１１径方向外側に向かうにしたがい前記中心線Ｌに対して工具回転方向Ｔ後方側に向かうように傾斜させられ、工具回転方向Ｔ後方側を向く側面３２が工具本体１１径方向外側に向かうにしたがい前記中心線Ｌに対して工具回転方向Ｔ前方側に向かうように傾斜させられている。ここで、工具回転方向Ｔ前方側を向く側面３１が、前記クサビ面２１と摺接されるクサビ受け面とされている。
【００２５】
押圧部材３０の工具本体１１径方向内側を向く面が押圧面３３とされ、この押圧面３３の中央部分には、押圧面３３に直交する方向に延びる収容孔３４が穿設されている。この収容孔３４には、付勢部材としてボールプランジャ３５が配備されている。なお、ボールプランジャ３５とは、有底筒状をなすケースの内部にコイルバネ３６が配備され、ケースの開口部部分にボール材３７が配置されたものである。
【００２６】
次に、取付座１４に装着されるインサート４０について説明する。インサート４０は、例えば超硬合金等の硬質材料からなるインサート本体４１を有している。このインサート本体４１の先端側（図６及び図７において下側）には、一側面側に大きく突出された切刃部４２が形成されており、インサート本体４１は、正面視して図６に示すように概略Ｌ字状をなしている。
【００２７】
インサート本体４１の後端側部分は概略四角柱状をなしており、この四角柱の前記切刃部４２が突出された側面が、前記押圧部材３０の押圧面３３に押圧される被押圧面４３とされている。この被押圧面４３は、インサート本体４１の長手方向に沿って延びるように、かつ、切刃部４２の後端側からインサート本体４１の後端面にまで達するように配置されている。
また、インサート４０の後端面には、前記調整ネジ１９の先端に形成されたテーパ面１９Ａが当接されるネジ受け部４４が形成されている。
【００２８】
また、インサート本体４１先端側の切刃部４２には、ＣＢＮで構成された切刃チップ４５が配置されている。本実施形態では、切刃チップ４５は平板状をなしており、このインサート４０のすくい面４６に積層されるようにして、インサート本体４１に貼設されている。
切刃部４２の先端側辺稜部に正面切刃４７が形成され、切刃部４２の一側面側辺稜部に外周切刃４８が形成されている。なお、本実施形態では、切刃部４２が大きく突出した側面の辺稜部に外周切刃４８が形成されており、前記被押圧面４３と外周切刃４８とが略平行に配置されている。
【００２９】
さらに、これら正面切刃４７及び外周切刃４８の交差部分にコーナ部４９が形成されている。なお、本実施形態では、このコーナ部４９と正面切刃４７とがなす角度、いわゆるコーナ角βは４５°とされている。
また、正面切刃４７に連なる切刃部４２の先端面は、正面切刃４７から離れるにしたがい漸次インサート本体４１後方側に後退するように傾斜させられた正面逃げ面５０とされている。また、外周切刃４８に連なる切刃部４２の側面も、外周切刃４８から離れるにしたがい漸次インサート本体４１の内側に後退するように傾斜させられた外周逃げ面５１とされている。
【００３０】
このようなインサート４０が、以下のようにして、工具本体１１の取付座１４に装着されて、フライスカッター１０が構成されることになる。
インサート４０を、すくい面４６が工具回転方向Ｔ前方側を向くように、かつ、外周切刃４８が工具本体１１径方向外側を向くようにして、前記取付座１４に載置する。つまり、前記インサート４０のすくい面４６とは反対側の面を取付座１４の第１取付面１４Ａに当接するように、かつ、被押圧面４３とは反対側の面を取付座１４の第２取付面１４Ｂに当接するようにして、インサート４０を取付座１４に載置する。
【００３１】
そして、工具本体１１径方向外側に向けられたインサート４０の被押圧面４３に前記押圧面３３が密着するように、かつ、ボールプランジャ３５のボール材３７がインサート４０の押圧面３３に当接されるようにして押圧部材３０が配置される。このとき、押圧部材３０の工具回転方向Ｔ後方側を向く側面３２が取付座１４の傾斜面部１７に密着させられ、押圧部材３０の工具回転方向Ｔ前方側を向く側面３１（クサビ受け面）が固定クサビ２０のクサビ面２１に対向するように配置されることになる。
このとき、前記インサート４０の被押圧面４３及び押圧部材３０の押圧面３３は、取付座１４の第１取付面１４Ａと第２取付面１４Ｂとの交線が延びる方向、つまり、インサート４０の移動方向に対して平行に配置されている。
【００３２】
この状態で、固定クサビ２０に螺着されているクランプネジ２３を回動することにより、固定クサビ２０が前記中心線Ｌに沿って工具本体１１径方向内側に向けて移動し、クサビ面２１が押圧部材３０の工具回転方向Ｔ前方側を向く側面３１（クサビ受け面）を押圧することになり、押圧部材３０が傾斜面部１７との間で工具本体１１径方向内側に向けて押圧される。
すると、押圧部材３０の押圧面３３がインサート４０の被押圧面４３を工具本体１１径方向内側に向けて押圧することになり、インサート４０が押圧部材３０と取付座１４との間に挟持されて固定される。このとき、ボールプランジャ３５のコイルバネ３６が強く圧縮されて弾性変形させられ、ボール材３７が前記収容孔３４に収容される。
【００３３】
このようにインサート４０を固定することによって、インサート４０の正面切刃４７及び外周切刃４８は、図５に示すように配置される。すなわち、外周切刃４８が軸線Ｏと略平行に配置されるとともに、正面切刃４７が軸線Ｏに直交する水平面に対して切り込み角αとなるように配置される。なお、本実施形態では、正面切刃４７の切り込み角（いわゆるディッシュ角）αは、α＝５°に設定されている。
【００３４】
このようにして構成されたフライスカッター１０は、工具本体１１の取付孔１２に取付ボルトが挿通されて、該取付ボルトの先端がアダプタにねじ込まれることによって、工具本体１１がアダプタに接続され、工具本体１１はアダプタを介して工作機械の主軸端に取り付けられ、軸線Ｏを中心として工具回転方向Ｔに高速回転されるとともに、軸線Ｏと交差する方向に送りを与えられることにより、インサート４０の工具本体１１径方向外側に向けられた外周切刃４８と工具本体１１先端側に向けられた正面切刃４７によって被切削材を切削する。
【００３５】
この構成のフライスカッター１０においては、切刃の振れ調整は、クランプネジ２３を緩めて固定クサビ２０を工具本体１１径方向外側に僅かに後退させた状態で調整ネジ１９をねじ込むことにより行う。
固定クサビ２０を抜き出すと、圧縮されていたボールプランジャ３５が弾性復帰してインサート４０を工具本体１１側に付勢するとともに押圧部材３０を工具本体１１径方向外側に向けて付勢することになる。ここで押圧部材３０の工具回転方向Ｔ後方側を向く壁面３２が取付座１４の傾斜面部１７と摺接するように、かつ、押圧部材３０の工具回転方向Ｔ前方側を向く壁面３１（クサビ受け面）が固定クサビ２０のクサビ面２１と摺接するように配置されているので、押圧部材３０はこれら傾斜面部１７とクサビ面２１とで固定され、ボールプランジャ３５によってインサート４０が工具本体１１側に押圧されることになる。
【００３６】
この状態で調整ネジ１９をねじ込んでインサート４０のネジ受け部４４を押圧することにより、インサート４０は第１取付面１４Ａ及び第２取付面１４Ｂに沿って工具本体１１先端側に向けて移動する。ここで、インサート４０はボールプランジャ３５の付勢力によってのみ保持されているので、この付勢力に対抗するだけの押圧力でインサート４０を押圧することでインサート４０の移動が可能となる。
【００３７】
このように、本実施形態であるフライスカッター１０によれば、切刃の振れ調整を行うために固定クサビ２０を抜き出した場合でも、ボールプランジャ３５による付勢力によってインサート４０の位置が保持され、インサート４０の位置ずれが生じることを防止できる。この状態でインサート４０を調整ネジ１９で押圧することによって、切刃の振れ調整を確実にかつ簡単に行うことができる。
また、固定クサビ２０を挿入した場合には、ボールプランジャ３５が圧縮変形させられてボール材３７が収容孔３４に収容されるとともに、押圧部材３０の押圧面３３によってインサート４０を工具本体１１側へと強固に押圧することができ、インサート４０を確実に固定することができる。
【００３８】
また、押圧部材３０の押圧面３３が、取付座１４の第１取付面１４Ａと第２取付面１４Ｂとの交線が延びる方向、つまり、インサート４０の移動方向に対して平行に配置されているので、ボールプランジャ３５によってインサート４０が固定されている状態でもインサート４０を移動させることができ、インサート４０の位置調整を確実に行うことができる。また、この押圧面３３に沿ってインサート４０が移動することにより、インサート４０が第１取付面１４Ａ上で回転することがなく、正面切刃４７の切り込み角（ディッシュ角）αを一定に保持した状態でインサート４０の位置調整を行うことができ、切刃の振れ調整を簡単に行うことができる。
【００３９】
また、調整ネジ孔１８の延びる方向が、第１取付面１４Ａが延びる方向、つまりインサート４０の移動方向と角度θで交差するように配置され、この調整ネジ孔１８に調整ネジ１９が螺着されているので、調整ネジ１９のネジピッチをＰとした場合にはインサート４０移動方向のピッチはＰ×ｃｏｓθとなり、インサート４０の位置調整を調整ネジ１９のネジピッチよりも小さなピッチで調整することができる。したがって、切刃の振れ調整を精度良く行うことができる。
【００４０】
また、インサート４０の切刃部４２にＣＢＮで構成された切刃チップ４５が貼設され、正面切刃４７及び外周切刃４８が形成されているので、これら正面切刃４７及び外周切刃４８の耐摩耗性が向上し、インサート４０の寿命延長を図ることができる。また、平板状をなす切刃チップ４５がすくい面４６に積層するように配置されているので、すくい面４６もＣＢＮで構成され、すくい面４６の摩耗も防止することができる。
【００４１】
また、正面切刃４７と外周切刃４８との交差部分にコーナ部４９が形成され、このコーナ部４９と正面切刃４７とがなすコーナ角が４５°とされているので、このインサート４０の刃先強度が向上して切削時の切削抵抗による正面切刃４７及び外周切刃４８の欠損を防止できる。さらに、コーナ部４９が形成されているので、外周逃げ面５１に沿って研磨することにより外周切刃４８の再研磨ができ、正面逃げ面５０に沿って研磨することにより正面切刃４７の再研磨を行うことができる。したがって、これら外周切刃４８及び正面切刃４７の再研磨が容易となり、このインサート４０のさらなる寿命延長を図ることができる。
【００４２】
以上、本発明の実施形態であるフライスカッターについて説明したが、本発明はこれに限定されることはなく、その発明の技術的思想を逸脱しない範囲で適宜変更可能である。
例えば、本実施形態においては、固定クサビを移動させるためのクランプネジとして、両端に雄ネジ部が形成されたダブルスクリュー型のものを使用したものとして説明したが、これに限定されることはなく、クランプネジ孔にねじ込まれる雄ネジ部と固定クサビに当接して固定クサビを径方向内側に押込む頭部を有するクランプネジ等によって固定クサビを移動させるものであってもよい。
【００４３】
また、クランプネジ孔を工具本体径方向外側を向く壁面に穿設したものとして説明したが、例えばクランプネジ孔を工具回転方向Ｔ前方側を向く壁面に穿設して固定クサビを挿入するものとしてもよい。
また、押圧部材に配置される付勢部材としてボールプランジャを用いて説明したが、これに限定されることはなく、例えば、単なるコイルバネや皿バネなどの他の付勢部材を使用してもよい。
【００４４】
さらに、凹部及び取付座の数や配置には制限はなく、被切削材の材質、形状等を考慮して適宜設定することが好ましい。
また、コーナ角、ディッシュ角は本実施形態に限定されることはなく、適宜設定することができる。
【図面の簡単な説明】
【００４５】
【図１】本発明の実施形態であるフライスカッターの側面断面図である。
【図２】図１に示すフライスカッターの底面図である。
【図３】図１に示すフライスカッターの取付座の側面拡大図である。
【図４】図３におけるＸ−Ｘ断面図である。
【図５】図３に示す取付座に装着したインサートを工具回転方向から見た図である。
【図６】本実施形態であるフライスカッターに装着されるインサートの正面図である。
【図７】図６におけるＹ方向矢視図である。
【図８】図６におけるＺ方向矢視図である。
【符号の説明】
【００４６】
１０  フライスカッター
１１  工具本体
１３  凹部
１４  取付座
１９  調整ネジ（調整部材）
２０  固定クサビ
２１  クサビ面
３０  押圧部材
３３  押圧面
３５  ボールプランジャ（付勢部材）
４０  インサート
４２  切刃部
４４  被押圧面
４７  正面切刃
４８  外周切刃
４９  コーナ部
【図１】
2007253307.tif 000003
【図２】
2007253307.tif 000004
【図３】
2007253307.tif 000005
【図４】
2007253307.tif 000006
【図５】
2007253307.tif 000007
【図６】
2007253307.tif 000008
【図７】
2007253307.tif 000009
【図８】
2007253307.tif 000010